(57)【要約】      （修正有）【課題】要介護者の載り降ろし作業を容易且つ円滑に行うと共に、安全性の向上を図る。【解決手段】要介護者Ａを吊り上げて移動させるための要介護者吊り上げ移動装置１であって、要介護者Ａの胴部Ｂを支持する胴受け部７と、要介護者Ａの腕部Ｃを支持する腕受け部８とが設けられた要介護者保持具６を備え、要介護者保持具６を吊り上げる時に要介護者Ａが前傾姿勢となるように構成されていることを特徴とする。さらに、要介護者の大腿部を下方から支持する大腿受け部９を備えており、該大腿受け部９は、前記胴受け部７に着脱可能に設けられている。【選択図】図２
2010187706.tif 000002
【特許請求の範囲】
【請求項１】
要介護者を吊り上げて移動させるための要介護者吊り上げ移動装置であって、
要介護者の胴部を支持する胴受け部と、要介護者の腕部を支持する腕受け部とが設けられた要介護者保持具を備え、該要介護者保持具を吊り上げる時に前記要介護者が前傾姿勢となるように構成されていることを特徴とする要介護者吊り上げ移動装置。
【請求項２】
要介護者の大腿部を下方から支持する大腿受け部を備えており、該大腿受け部は、前記胴受け部に着脱可能に設けられている請求項１に記載の要介護者吊り上げ移動装置。
【請求項３】
前記胴受け部は、前記要介護者の胴部を前方から支持する胴部前方支持部と、該胴部前方支持部に支持された胴部を該胴部前方支持部に固定する胴部固定用ベルトとを備えている請求項１又は２に記載の要介護者吊り上げ移動装置。
【請求項４】
前記腕受け部は、前記要介護者の両腕を下方から支持する腕下方支持部を備えている請求項１〜３のいずれか１の請求項に記載の要介護者吊り上げ移動装置。
【請求項５】
前記腕受け部上には、前記要介護者の頭部を支持する頭受け部が設けられている請求項１〜４のいずれか１の請求項に記載の要介護者吊り上げ移動装置。
【発明の詳細な説明】
【技術分野】
【０００１】
本発明は、要介護者を吊り上げて移動させるための要介護者吊り上げ移動装置に関するものである。
【背景技術】
【０００２】
従来、ベッドに寝た切りの身体障害者や老人等の要介護者をベッドから車椅子に、或いは、反対に車椅子からベッドに移動させる際には、看護士等の介護者に多大な労力の負担を掛けている。そこで、この介護者の労力負担を軽減するため、近年、要介護者を吊り上げて移動させる移動装置が提案されている。
【０００３】
そして、この種の従来の吊り上げ移動装置としては、例えば、吊りロープの先端部に要介護者を載せるブランコ型の帯席を着脱可能に取り付けた移動装置が知られている（例えば、特許文献１参照）。
【特許文献１】特開２００１−２３１８２３号公報
【発明の開示】
【発明が解決しようとする課題】
【０００４】
しかしながら、上記した従来の要介護者吊り上げ移動装置では、帯席により要介護者の臀部を支持するようになっているため、要介護者を帯席に載せたり、或いは、反対に帯席から要介護者を降ろしたりする作業に手間が掛かるといった問題があった。
【０００５】
また、要介護者を載せた帯席をロープにより吊って移動させるようになっているため、要介護者を吊った状態が不安定となり、移動中に要介護者が帯席から落下するおそれがあり、安全性の向上が図り難いといった問題があった。
【０００６】
本発明は、上記した課題を解決すべくなされたものであり、要介護者の載り降ろし作業を容易且つ円滑に行うことができ、安全性の向上を図ることのできる要介護者吊り上げ移動装置を提供することを目的とするものである。
【課題を解決するための手段】
【０００７】
上記した目的を達成するため、本発明は、要介護者を吊り上げて移動させるための要介護者吊り上げ移動装置であって、要介護者の胴部を支持する胴受け部と、要介護者の腕部を支持する腕受け部とが設けられた要介護者保持具を備え、該要介護者保持具を吊り上げる時に前記要介護者が前傾姿勢となるように構成されていることを特徴とする。
【０００８】
そして、要介護者の大腿部を下方から支持する大腿受け部を備えており、該大腿受け部は、前記胴受け部に着脱可能に設けられていてもよい。
【０００９】
また、前記胴受け部は、前記要介護者の胴部を前方から支持する胴部前方支持部と、該胴部前方支持部に支持された胴部を該胴部前方支持部に固定する胴部固定用ベルトとを備えていてもよい。
【００１０】
さらに、前記腕受け部は、前記要介護者の両腕を下方から支持する腕下方支持部を備えていてもよい。
【００１１】
さらにまた、前記腕受け部上には、前記要介護者の頭部を支持する頭受け部が設けられていてもよい。
【発明の効果】
【００１２】
本発明によれば、要介護者を移動させる際に、要介護者の載り降ろし作業を容易且つ円滑に行うことができるため、介護者の労力負担を大幅に軽減することができる。
【発明を実施するための最良の形態】
【００１３】
以下、図面を参照しつつ、本発明の実施の形態について説明する。ここで、図１は本発明の実施の形態に係る要介護者吊り上げ移動装置を示す斜視図である。
【００１４】
本実施の形態に係る要介護者吊り上げ移動装置１は、鉛直姿勢で下端部がベッド２の角部に固定される支柱３と、支柱３の上端部に片持ち支持され、左右側方及び上下に回転可能なアーム４と、アーム４の先端に取り付けられる吊り上げ具５と、図示しない駆動装置の駆動により吊り上げ具５を介してアーム４に吊り上げられる要介護者保持具６とを備えて構成されている。
【００１５】
要介護者保持具６は、要介護者Ａの胴部Ｂを支持する胴受け部７と、要介護者Ａの腕部Ｃを支持する腕受け部８と、要介護者Ａの大腿部Ｄを支持する大腿受け部９と、要介護者Ａの頭部Ｅを支持する頭受け部１０とを備えている。
【００１６】
胴受け部７は、アルミニウム製の丸パイプで形成されたフレーム１１を軟質ウレタンフォーム等のクッション材１２で覆って構成されており、胴受け部７の前面側には把手１３が左右一対でフレーム１１に固定されている。また、胴受け部７には、該胴受け部７に支持された胴部Ｂを固定するための胴部固定用ベルト１４が設けられており、この胴部固定用ベルト１４は、両端がフレーム１１に固定され、中央はマジックテープ（登録商標）等により着脱可能となっている。さらに、胴受け部７の下端両側には、それぞれ止め具１５が取り付けられている。
【００１７】
腕受け部８は、胴受け部７の上端に取り付けられ、アルミニウム製の丸パイプをコの字状に屈曲して形成されたフレーム１６を軟質ウレタンフォーム等のクッション材１７で覆って構成されており、要介護者Ａの両腕部Ｃを下方から支持可能となっている。
【００１８】
大腿受け部９は、帯状のベルト１８と、このベルト１８の両端に取り付けられたフック１９とから構成されており、このフック１９は胴受け部７の止め具１５に係脱可能となっている。そして、フック１９を止め具１５に係止して大腿受け部９を胴受け部７に取り付けると、ベルト１８により要介護者Ａの大腿部Ｄが下方から支持されるようになっている。
【００１９】
頭受け部１０は、腕受け部８の中央部分に突設されており、アルミニウム製の丸パイプで形成されたフレーム２０を軟質ウレタンフォーム等のクッション材２１で覆って構成されている。
【００２０】
また、吊り上げ具５は、水平姿勢で設けられた連結棒２２と、連結棒２２の両端部とアーム４との間に掛け渡された上側吊りロープ２３と、連結棒２２の両端部と腕受け部８のフレーム１６の後端側両端部との間に掛け渡された下側吊りロープ２４とを備えて構成されている。
【００２１】
次に、主に図２〜図４を参照しつつ、上記した要介護者吊り上げ移動装置１の動作について説明する。ここで、図２は本発明の実施の形態に係る要介護者吊り上げ移動装置の要介護者保持具にベッド上の要介護者を載せた直後の状態を示す側面図、図３は同要介護者吊り上げ移動装置で要介護者を吊り上げている状態を示す側面図、図４は同要介護者吊り上げ移動装置で吊り上げた要介護者を水平回転させた状態を示す側面図、図５は同要介護者吊り上げ移動装置の要介護者保持具から車椅子上に要介護者を降ろす直前の状態を示す側面図である。
【００２２】
先ず、図２に示すように、ベッド２上において横たわっている要介護者Ａの胴部Ｂを起こし、両足Ｆをベルト１８により下方から支持するように大腿受け部９を胴受け部７に取り付ける。この時、要介護者Ａの臀部Ｇとベッド２との間にベルト１８を挿入する必要がないため、要介護保持具６の取り付け作業を容易且つ円滑に行うことができる。
【００２３】
さらにまた、要介護者Ａの胴部Ｂを胴部固定用ベルト１４により胴受け部７に固定すると共に、腕部Ｃを腕受け部８上に載せ、要介護者Ａが体力的に可能な場合には、要介護者Ａの腕部Ｃで頭受け部１０を抱え込ませ、手で把手１３を把持させる。なお、要介護者Ａが体力的に頭受け部１０を腕部Ｃで抱え込むことが不可能な場合には、腕受け部８に取り付けた腕部固定用ベルト（図示省略）等によって腕部Ｃを腕受け部８に固定するようにしてもよい。
【００２４】
次いで、図３に示すように、前記駆動装置の駆動によりアーム４の先端を、要介護者Ａの臀部Ｇがベッド２から僅かに浮くと共に両足Ｆの踵がベッド２から浮かない程度（例えば、２０ｃｍ程度）上昇させ、要介護者保持具６に固定された要介護者Ａを吊り上げた状態で、図４に示すように、アーム４を車椅子２５の方向に回転させる。この時、吊り上げ具５の下側吊りロープ２４が腕受け部８の後端側に取り付けられているため、要介護者Ａは前傾姿勢となり、ベッド２に足Ｆの踵を支点に水平回転する。これにより、要介護者Ａの胴部Ｂが胴受け部７により受け止められると共に、腕部Ｃ、大腿部Ｄ、頭部Ｅがそれぞれ腕受け部８、大腿受け部９、頭受け部１０に確実に支持されているため、吊り上げ移動中に要介護者Ａが介護者保持具６から落下したり、不安定な姿勢になったりすることがなく、安全性の向上を図ることができる。また、上記したように、要介護者を吊り上げる高さは僅かであるため、吊り上げ中に要介護者Ａに恐怖感を抱かせるおそれもない。
【００２５】
次いで、車椅子２５の上方位置で、前記駆動装置の駆動によりアーム４の先端を降下させ、図５に示すように、介護保持具６に固定された要介護者Ａを車椅子２５の座席２６に着座させる。そして、胴部固定用ベルト１４及び大腿受け部９を取り外した後、要介護者保持具６を前方に移動させる。この時、要介護者Ａの臀部Ｇと車椅子２５の座席２６との間及び要介護者Ａの胴部Ｂの背中部分と車椅子２５の背凭れ部２７との間には何も存在しないため、要介護保持具６の要介護者Ａからの取り外し作業を容易且つ円滑に行うことができる。
【００２６】
なお、上記した実施の形態では、要介護者吊り上げ移動装置１は、支柱３を介してベッド２に固定されるようになっているが、本発明はこの形態に限定されるものでなく、例えば、自立型であってもよい。
【００２７】
また、要介護者吊り上げ移動装置１は、要介護者Ａをベッド２から車椅子２５に移動させる場合だけでなく、反対に車椅子２５からベッド２に移動させる場合や、ソファ等の椅子間で移動させる場合等、他の場合にも使用可能であることは言う迄もない。
【図面の簡単な説明】
【００２８】
【図１】本発明の実施の形態に係る要介護者吊り上げ移動装置を示す斜視図である。
【図２】本発明の実施の形態に係る要介護者吊り上げ移動装置の要介護者保持具にベッド上の要介護者を載せた直後の状態を示す側面図である。
【図３】本発明の実施の形態に係る要介護者吊り上げ移動装置で要介護者を吊り上げている状態を示す側面図である。
【図４】本発明の実施の形態に係る要介護者吊り上げ移動装置で吊り上げた要介護者を水平回転させた状態を示す側面図である。
【図５】本発明の実施の形態に係る要介護者吊り上げ移動装置の要介護者保持具から車椅子上に要介護者を降ろす直前の状態を示す側面図である。
【符号の説明】
【００２９】
１          要介護者吊り上げ移動装置
６          要介護者保持具
７          胴受け部
８          腕受け部
９          大腿受け部
１０        頭受け部
Ａ          要介護者
Ｂ          胴部
Ｃ          腕部
Ｄ          大腿部
Ｅ          頭部
【図１】
2010187706.tif 000003
【図２】
2010187706.tif 000004
【図３】
2010187706.tif 000005
【図４】
2010187706.tif 000006
【図５】
2010187706.tif 000007